(57)【要約】本発明による方法は、パケットデータ能力を有する無線通信システムの動作を規定し、以下のステップを有する。即ち(a)移動局からネットワークへ、パケットデータを送信するのに使用するのと同一の物理チャネル上で、メッセージを送信するステップであって、該メッセージは、移動局による受信に必要なパケットシステム情報(PSI)メッセージを特定するものであることを特徴とするステップ、及び（ｂ）前記メッセージの受信に応答して、パケットデータを送信するのに使用するのと同一の物理チャネル上で、ネットワークから移動局へ前記特定されたPSIメッセージのみを送信するステップ。現時点で好ましいが、これに限定するものではない実施例において、メッセージは、PACKET  PSI  STATUSメッセージであって、物理チャネルは、パケット関連コントロールチャネル（PACCH）を搬送する。前記メッセージを送信し、PSIメッセージを送信するステップは、パケットデータ転送モードの間に、確立された一時的ブロックフロー（TBF）を中断することなく、行われる。好ましい実施例において、移動局は、(オプショナル)フィールドPSIｘ_COUNTとInstance_Bitmapを含めることにより、又、PACKET  PSI  STATUSメッセージにおける特定のPSIメッセージタイプに対し、それらのフィールドをそれぞれ０に設定することにより、パケットPSIステータスメッセージに書き込む。応答時には、ネットワークは、移動局が特定PSIメッセージタイプを受信していないことを決定し、表示されたPACKET  PSI  STATUSにおけるPSI＿CHANGE＿MARKを無視する。
2004523158.tif 000002
【特許請求の範囲】
【請求項１】
パケットデータ能力を有する無線通信システムを動作させる方法であって、
移動局からネットワークへ、パケットデータを送信するのに使用するのと同一の物理チャネル上で、メッセージを送信するステップであって、該メッセージは、移動局による受信に必要なパケットシステム情報(PSI)メッセージを特定するものであることを特徴とするステップと、
前記メッセージの受信に応答して、パケットデータを送信するのに使用するのと同一の物理チャネル上で、ネットワークから移動局へ前記特定されたPSIメッセージのみを送信するステップと、
を有する方法。
【請求項２】
前記メッセージがPACKET PSI STATUSメッセージであることを特徴とする請求項１記載の方法。
【請求項３】
前記物理チャネルが、Packet Associated Control Channel（PACCH）を送ることを特徴とする請求項１記載の方法。
【請求項４】
前記メッセージを送信し、前記PSIメッセージを送信する動作が、パケットデータ転送モード時に、確立された一時的ブロックフロー（TBF）を中断することなく、行われることを特徴とする請求項１記載の方法。
【請求項５】
フィールド  PSIｘ_COUNT及びInstance＿Bitmapを含めることにより、又、PACKET  PSI  STATUSメッセージにおける特定のPSIメッセージタイプに対し、それらのフィールドをそれぞれ０に設定することにより、移動局が、Packet  PSI  Statusメッセージに書き込むことを特徴とする請求項２記載の方法。
【請求項６】
応答時、ネットワークは、移動局が特定PSIメッセージタイプを受信していないことを決定し、表示されたPACKET  PSI  STATUSにおけるPSI＿CHANGE＿MARKを無視することを特徴とする請求項５記載の方法。
【請求項７】
パケットデータ能力を有する無線通信システムを動作させる方法であって、
ネットワークの移動局から、パケットデータを送信するのに使用するのと同一の物理チャネル上で、メッセージを受信するステップであって、該メッセージは、移動局による受信に必要なパケットシステム情報(PSI)メッセージを特定するものであることを特徴とするステップと、
前記メッセージの受信に応答して、パケットデータを送信するのに使用するのと同一の物理チャネル上で、ネットワークから移動局へ前記特定されたPSIメッセージのみを送信するステップと、
を有する方法。
【請求項８】
前記メッセージがPACKET PSI STATUSメッセージであることを特徴とする請求項７記載の方法。
【請求項９】
前記物理チャネルが、Packet Associated Control Channel（PACCH）を送ることを特徴とする請求項７記載の方法。
【請求項１０】
前記メッセージを送信し、前記PSIメッセージを送信する動作が、パケットデータ転送モード時に、確立された一時的ブロックフロー（TBF）を中断することなく、行われることを特徴とする請求項７記載の方法。
【請求項１１】
フィールド  PSIｘ_COUNT及びInstance＿Bitmapを含めることにより、又、PACKET  PSI  STATUSメッセージにおける特定のPSIメッセージタイプに対し、それらのフィールドをそれぞれ０に設定することにより、移動局が、Packet  PSI  Statusメッセージを書き込むことを特徴とする請求項８記載の方法。
【請求項１２】
応答時、ネットワークは、移動局が特定PSIメッセージタイプを受信していないことを決定し、表示されたPACKET  PSI  STATUSにおけるPSI＿CHANGE＿MARKを無視することを特徴とする請求項11記載の方法。
【請求項１３】
パケットデータ能力を有する無線通信システムを動作させる方法であって、
移動局からネットワークへ、PACKET  PSI  STATUSメッセージを送信するステップであって、該PACKET  PSI  STATUSメッセージは、移動局による受信に必要なパケットシステム情報(PSI)メッセージを特定するものであることを特徴とするステップと、
前記PACKET  PSI  STATUSメッセージの受信に応答して、ネットワークから移動局へ前記特定されたPSIメッセージのみを送信するステップと、
を有する方法。
【請求項１４】
前記PACKET  PSI  STATUSメッセージを送信するステップが、
メッセージフィールドPSIｘ_COUNT及びInstance＿Bitmapを含めるステップと、PSIメッセージタイプのものを関連するネットワークに指定する為に、それらのフィールドをそれぞれ０に設定するステップ、とを有することを特徴とする請求項１３記載の方法。
【請求項１５】
応答時、ネットワークは、移動局が指定されたPSIメッセージタイプを受信していないことを決定し、表示されたPACKET  PSI  STATUSにおけるPSI＿CHANGE＿MARKを無視することを特徴とする請求項１４記載の方法。
【請求項１６】
PACKET  PSI  STATUSメッセージを送信するステップが、
PACKET  PSI  STATUSメッセージにおける受信したPSI  MessageListにおける、移動局がサポートするPSIメッセージタイプを表示するステップを有することを特徴とする請求項１３記載の方法。
【請求項１７】
移動局が、PACKET  PSI  STATUSメッセージにおいて、PSI  CHANGE  MARK値が所望されるPSIメッセージに対し、PSIメッセージタイプの現在のステータスを表示し、PSIメッセージタイプG受信されていないことを表示することを特徴とする請求項13記載の方法。
【請求項１８】
移動局が、PSIメッセージの部分的取得期間に、少なくともPSI  CHANGE  MARK値を所望することを特徴とする請求項１７記載の方法。
【請求項１９】
移動局による受信の為に必要とされる前記PSIメッセージタイプが、
移動局が関係あると考えるPSIメッセージタイプは、移動局がサポートする特徴に基づくものであり、
オプショナルなPSIメッセージタイプに対し、PSIメッセージタイプがネットワークにより、パケット同報コントロールチャネル上に存在すると表示されている、
の規準に合致するものであることを特徴とする方法。
【請求項２０】
パケットデータ能力を有する無線通信ネットワークで動作可能な移動局であって、
前記移動局は、
データプロセッサに接続するRF送受信装置と、
前記データプロセッサは、移動局からネットワークへ、PACKET  PSI  STATUSメッセージを送信するための記憶されたプログラムのコントロール下で動作し、
前記PACKET  PSI  STATUSメッセージは、前記移動局による受信のために望ましいパケットシステム情報（PSI）メッセージを特定し、応答時に、前記移動局による前記PACKET  PSI  STATUSメッセージの受信を特定し、
前記移動局は、前記ネットワークから、前記PSIメッセージタイプの特定されたものだけを受信する、
ことを特徴とする移動局。
【請求項２１】
PACKET  PSI  STATUSメッセージを送信する時、前記データプロセッサは、メッセージフィールドPSIｘ_COUNT及びInstance＿Bitmapを含み、PSIメッセージタイプのものを関連するネットワークに指定する為に、それらのフィールドをそれぞれ０に設定することを特徴とする請求項２０に記載された移動局。
【請求項２２】
前記ネットワークは、前記含まれたメッセージフィールドから、前記移動局が指定されたPSIメッセージタイプを受信しなかったことを決定し、表示されたPACKET  PSI  STATUSにおけるPSI＿CHANGE＿MARKを無視する、ことを特徴とする請求項２１記載の移動局。
【請求項２３】
前記データプロセッサは、PACKET  PSI  STATUSメッセージを送信する時、PACKET  PSI  STATUSメッセージにおける受信したPSI  MessageListにおける、移動局がサポートするPSIメッセージタイプを表示することを特徴とする請求項２０記載の移動局。
【請求項２４】
前記データプロセッサは、PACKET  PSI  STATUSメッセージを送信する時、PACKET  PSI  STATUSメッセージにおいて、PSI  CHANGE  MARK値が所望されるPSIメッセージに対し、PSIメッセージタイプの現在のステータスを表示し、PSIメッセージタイプG受信されていないことを表示することを特徴とする請求項２０記載の移動局。
【請求項２５】
PSIメッセージの部分的取得期間に、少なくともPSI  CHANGE  MARK値が所望されることを特徴とする請求項２４記載の移動局。
【請求項２６】
移動局による受信の為に必要とされる前記PSIメッセージタイプが、
移動局が関係あると考えるPSIメッセージタイプは、移動局がサポートする特徴に基づくものであり、
オプショナルなPSIメッセージタイプに対し、PSIメッセージタイプがネットワークにより、パケット同報コントロールチャネル上に存在すると表示されている、
の規準に合致するものであることを特徴とする請求項２０に記載の移動局。
【発明の詳細な説明】
【技術分野】
【０００１】
本発明は、無線通信装置と無線通信方法に関するもので、具体的には、無線チャネル上のパケットデータを通信するための無線端末、ネットワーク、システムに関する。
【背景技術】
【０００２】
以下の用語が、説明で使われるので、以下のように定義する。
GMS  Global System for Mobile Communication、移動体通信のためのグローバルシステムで、時分割マルチプルアクセス（TDMA）大気インターフェースを使用するデジタル無線通信システム。
GPRS  General Packet Radio Service、GSMフェーズ２＋サービス。データ転送の為の無線リソースがパーブロックベース（回路切替ベースではなく）で、割当てられる。
MS  Mobile Station、例えば、携帯セルラ電話、車載セルラ電話、パーソナル通信装置、無線通信用PDA装置、コンピュータ内蔵又はコンピュータに据付可能無線通信モジュール（例えば、PCMCIAスロットにプラグインできる）、無線ネットワーク内の双方向通信可能な装置。
DL  Downlink、無線ネットワークからMSへの方向。
UL  Uplink、MSから無線ネットワークへの方向。
【０００３】
PSI  Packet System Information(message)
PBCCH  Packet Broadcast Control Channel:同報PSIメッセージに使用されるダウンリンクチャネル。
PACCH  Packet Associated Control Channel:コントロールブロックを、ネットワーク、と、パケットデータブロックが送信される（即ちパケットデータ転送期間）のと同一チャネル上のMSとの間に送信するのに使用される論理チャネル。
TBF  Temporary Block Flow:  MSからネットワーク（ULTBF）へ、又はネットワークからMS(DLTBF)へのパケットデータの一時的なフロー。方向が指定されない場合は、TBFは、UL  TBF、DL  TBF、又は両方を意味する。
PTM  Packet Transfer Mode:  MSがパケットデータを受信し、パケットデータを送信し、又は両方の動作を行う場合のモード。即ち、MSがUL TBF、DL TBFを有する、又は、ULとDL TBF両方がアクティブである。
Multi-RAT  Multi-Radio Access Technology:  ２G（GSM）と３G（UMTS）機能を持つMS、即ち２G−３G多モード電話で、２G又は３Gネットワークにおけるサービスを使うことのできるもの。
【０００４】
PSIメッセージの最初の受信期間に、例えば、セル（再）選択の後、ネットワークは、必ずしも、どのPSIメッセージを、MS（移動局）に送信しなければならないのか知っているわけではない。この問題は、将来のリリースにおいて、重要になる（例えば、リリース1997（R97）、リリース1998（R98）及びリリース1999（R99）の後のもの）。新規PSIメッセージが導入されるからである。現在特定されているように、所定のMSは、ネットワークから、どのPSIメッセージを受信するかについて、ネットワークに教えることはできない。
【０００５】
更に具体的には、非指定アプデート手続の期間、MSは、少なくとも一つの、PSIメッセージタイプのインスタンスを受信しなければならない。現在、パケットPSIステータス・メッセージは、どのPSIメッセージタイプか（MSがチェインジマークチェっキングを実行するために要求する）を表示するように特定されてはいない。従って、現在特定されているパケットPSIステータスプロセスは、部分的な取得（acquisition）プロセスの期間、使用することはできない。
【発明の開示】
【発明が解決しようとする課題】
【０００６】
本発明の第１の目的と効果は、前記及び他の問題点を克服し、改良されたパケットデータプロセスを提供することである。
【０００７】
本発明の他の一つの目的と効果は、ネットワークからどのPSIメッセージを要求するのかを、ネットワークに知らせる能力をMSに備えることである。
【課題を解決するための手段】
【０００８】
前記した問題とその他の問題は、本発明の実施例に基づく方法と装置により、克服され、前記した課題と利点は本発明の実施例に基づく方法と装置を実施することで実現される。
【０００９】
本発明の考え方によれば、移動局は、どのPSIメッセージを受信しなければならないかについてネットワークに明確に(expressly)知らせることができ、応答時に、ネットワークは、必要なPSIメッセージのみを移動局に送信することができる。その結果、パケットデータチャネルのスペクトラム利用の改善ができ、データスループットが増加する。
【００１０】
更なる利点は、移動局は、非指定のアップデート手続（Unspecified Update procedure）の間に、動作中のパケット転送を中断する必要は無い。これによって、データスループットを向上する。又、TBFは、中断する必要はないから、スペクトラムを完全に利用でき、更に効率よく割当てることができる。というのは、従来のTBF中断時には、各PBCCHブロックの期間に対し、並びにその周囲のブロックに対し、チャネルコンフィギュレーション遅延と移動局デジタル信号プロセッサ（DSP）における必要とされる設定時間のために、データブロックを送受信することはできないからである。
【００１１】
更なる本発明の利点は、現在特定されている信号処理が使用されおり、それにより、新規な信号処理を特定する要求を回避することができる点である。
【００１２】
本発明による方法は、パケットデータ能力を有する無線通信システムの動作を規定し、以下のステップを有する。即ち(a)移動局からネットワークへ、パケットデータを送信するのに使用するのと同一の物理チャネル上で、メッセージを送信するステップであって、該メッセージは、移動局による受信に必要なパケットシステム情報(PSI)メッセージを特定するものであることを特徴とするステップ、及び（ｂ）前記メッセージの受信に応答して、パケットデータを送信するのに使用するのと同一の物理チャネル上で、ネットワークから移動局へ前記特定されたPSIメッセージのみを送信するステップ。
【００１３】
現時点で好ましいが、これに限定するものではない実施例において、メッセージは、PACKET  PSI  STATUSメッセージであって、物理チャネルは、パケット関連コントロールチャネル（PACCH）を搬送する。前記メッセージを送信し、PSIメッセージを送信するステップは、パケットデータ転送モードの間に、確立された一時的ブロックフロー（TBF）を中断することなく、行われる。好ましい実施例において、移動局は、(オプショナル)フィールドPSIｘ_COUNTとInstance_Bitmapを含めることにより、又、PACKET  PSI  STATUSメッセージにおける特定のPSIメッセージタイプに対し、それらのフィールドをそれぞれ０に設定することにより、パケットPSIステータスメッセージに書き込む。応答時には、ネットワークは、移動局が特定PSIメッセージタイプを受信していないことを決定し、表示されたPACKET  PSI  STATUSにおけるPSI＿CHANGE＿MARKを無視する。
【００１４】
更に本発明によれば、パケットデータ能力を有する無線通信システムを動作させる方法に関し、この方法は、移動局からネットワークへ、PACKET  PSI  STATUSメッセージを送信するステップであって、該PACKET  PSI  STATUSメッセージは、移動局による受信に必要なパケットシステム情報(PSI)メッセージを特定するものであることを特徴とするステップと、前記PACKET  PSI  STATUSメッセージの受信に応答して、ネットワークから移動局へ前記特定されたPSIメッセージのみを送信するステップと、を有する。前記PACKET  PSI  STATUSメッセージを送信するステップは、PACKET  PSI  STATUSメッセージにおける受信したPSI  MessageListにおける、移動局がサポートするPSIメッセージタイプを表示するステップを有する。移動局は、移動局が、PACKET  PSI  STATUSメッセージにおいて、PSI  CHANGE  MARK値が所望されるPSIメッセージに対し、PSIメッセージタイプの現在のステータスを表示し、PSIメッセージタイプG受信されていないことを表示してもよい。この場合、移動局は、PSIメッセージの部分的取得期間に、少なくともPSI  CHANGE  MARK値を所望してもよい。
【００１５】
移動局による受信の為に必要とされる前記PSIメッセージタイプが、以下の規準に合致するものである。即ち、a)移動局が関係あると考えるPSIメッセージタイプは、移動局がサポートする特徴に基づくものであり、b)オプショナルなPSIメッセージタイプに対し、PSIメッセージタイプがネットワークにより、パケット同報コントロールチャネル上に存在すると表示されている。
【００１６】
本発明の前記した及び他の特徴は、図面を参照して、この後の本発明の詳細な説明を読めば、明らかである。
【発明を実施するための最良の形態】
【００１７】
図１を参照すると、本発明を実施するのに最適な無線通信システム１の実施例の簡略化されたブロックダイアグラムが示されている。システム１は、複数の移動局100を有するとする。二つの移動局（MSｓ）を、説明のために図１に示す。一つはMS＃１、他の一つはMS＃２と呼ぶ。図１は、例えば、アナログ公衆回線網（PSTN）及び/又は公衆パケットデータネットワーク（PDN）のような通信ネットワークに接続する為のGPRSサポートノード（GSN）30と、少なくとも一つのベース局コントローラ（BSC）40と、大気インターフェース標準に従って複数のベース送受信局（BTS）50（フォワード又はダウンリンク（DL）方向に、物理チャネル論理チャネルを移動局１００へ送信する）を持つ典型的なネットワークオペレータを示す。反対又はアップリンク（UL）通信パス(path)が、移動局100からネットワークオペレータ2の間に存在し、移動体から発せられるアクセス要求及び回線を伝える。各BTS50は、セルをサポートするもので、該セル内には、１つ又は多数のMSが存在する。MS100とネットワーク2は、以下の詳細な説明に基づく、改善されたPSI手続きを使用する。
【００１８】
本発明の実施例（好ましいが、これに限定するものではない）において、大気インターフェース標準は、パケットデータ転送（例えばインターネット７０アクセスとウェブ頁ダウンロード）が移動局100で行うことを可能にする標準に適合するものである。本発明の好ましい実施例において、大気インターネット標準は、時分割マルティプルアクセス（TDMA）大気インターフェースで、これは、ここに説明した、強化されたGPRS機能をサポートするものである。
【００１９】
ネットワークオペレータ2は、システム・メッセージ・サービス・センタ（SMSC）60を有してもよい。パケットデータを使用する無線メッセージング技術を使うことができるにも拘わらず、前記センタは、移動局100のためにメッセージを受信したり、送信したりする。メッセージングサービスは、補充的なデータサービス、及び、現在開発中で、マルチメディアメッセージングサービス（MMS）として知られているサービス（画像メッセージ、ビデオメッセージ、オーディオメッセージ、テキストメッセージ、実行可能なもの等、それらの組合わせを、ネットワークと移動局間で転送する事ができる）を含んでもよい。
【００２０】
移動局100は、通常、マイクロコントロールユニット（MCU）120を含む。このユニットは、表示装置140の入力に接続する出力と、キーボード又はキーパッド160に接続する入力を有している。移動局100は、携帯無線電話（例えば、セルラ電話又はパーソナル通信機）として考えてよい。移動局100は、使用中、他の装置に接続するカード又はモジュールに内蔵することができる。例えば、移動局100は、PCMCIA内に、又は、使用中携帯データプロセッサ（例えば、ラップトップ又はノードブックコンピュータ、又はユーザが身につけることが可能なコンピュータ）内に設けられる同様なタイプのカード又はモジュール内に設けてもよい。
【００２１】
MCU120は、メモリ130（オペレーティングプログラムを記憶するためのROM、並びに一時的に必要なデータ、スクラッチパッドメモリ、受信されたパケットデータ、送信するパケットデータ等を記憶するRAM）に内蔵されている又は接続されているとする。メモリ130は、以下に詳細に説明するように、PSIメッセージを記憶する。別体の、リムーバブルSIM（図示しない）が設けられてもよい。前記SIMは、例えば、好ましい公衆陸上移動体ネットワーク（PLMN）リスト及び他の加入者関連情報を蓄積している。前記ROMは、本発明の目的のために、MCU120が、ソフトウェアルーチン、レイヤ及びプロトコールを実行できるプログラムを記憶するものとする。これらプログラムは、本発明に従ってパケットデータの送信・受信を実行し、表示装置140とキーパッド160を介して、適切なユーザインターフェース（UI）を提供するのに必要なものである。図示していないが、通常、マイクロフォンとスピーカは、従来のやり方で、ユーザが音声コールを行えるように設けられる。パケットPSIステータスプロセシングモジュールは、本発明に基づいて動作するものであるが、ブロック260として、一般的に示してある。通常、この機能は、実行時には、メモリ130に記憶されたプログラムインストラクションにより実現される。
【００２２】
移動局100は、デジタルシグナルプロセッサ（DSP）又はこれに同等な高速プロセッサ、並びに無線送受信装置（送信装置2000と受信装置220からなる送受信装置、それらは、ネットワークオペレータと通信する為にアンテナ240に接続している）を有する無線部分を有している。パケットデータは、本発明に従って、アンテナ240を介して送受信される。
【００２３】
本発明を実施する為の無線通信ネットワーク、移動局100と全システム1の好適な実施例を説明したが、本発明について、更に詳細に説明する。
【００２４】
本発明は、パケットデータ転送モード時の、各種タイプのPSIメッセージを処理するために、既存の手順とメッセージを使うための方法を提供する。これらPSIメッセージ取得には、初期取得がある。この初期取得は、初めてPSIメッセージを、セル内で受信する場合である。このような場合、問題がある。ネットワーク2は、どのようなPSIメッセージをMS100に送信するか知らないからである。特に、R99とそれより新しいネットワーク（複数のオプショナルなPSIメッセージタイプが定義される）では、問題になる。PSIメッセージ取得は、PSI１のメッセージにおけるPSI＿CHANGE＿FIELDで、ネットワーク2が指定したアップデートのケースを含む。この場合、一組のメッセージが、明示的に定義され、不特定のアップデート（Unspecified Update）がコマンドされる。
【００２５】
本発明とその利点を、よりよく理解する為に、初めに、現行のPSIメッセージ使用と現行指定のPSIメッセージ手順から起こる問題点について、説明する。
【００２６】
GPRSにおいて、セルがGPSR（PBCCH）に専用されるコントロールチャネルをサポートする場合は、パケットアクセス・パラメータに関するシステム情報は、PSDIメッセージとして、同報（broadcast）である。
【００２７】
図２を参照して、PSIの各種タイプの例を示す。セルにPBCCHがある場合には、ネットワーク2は、規則的に、PBCCH上に、パケットシステム情報（Packet System Information）（PSI）タイプメッセージを同報する。PSI2とPSI３bisメッセージ、及び更に複数のPSIメッセージは、複数のインスタンスにおいて（in some multiple numbers of instances)同報であってよい。PSIメッセージにおいて同報される情報に基づいて、MS100は、現行セルを通して、ネットワーク2にどのようにアクセスしてよいかを決定することができる。
【００２８】
PSIメッセージタイプの多数インスタンスがPBCCH上に送信される場合、MS100は、PSIの前記タイプ（即ち、システム情報（SI））メッセージのコンシステント・セットを受信するものと予定する。或る場合は、図２に示すように、PSIメッセージの複数タイプが一つのコンシステント・セットに合体するかもしれない。一例として、PSI2メッセージの全てのインスタンス（1-8）は、コンシステント・セットを形成する。
【００２９】
図３を参照すると、システム情報メッセージのコンシステント・セットは、前記セットの各メッセージに含まれているPSI＿Change＿Mark parameterにより識別される。コンシステント・セットの全てのPSIメッセージは、PSI＿Change＿Mark parameterの同一値を有するように指定される。
【００３０】
コンシステントセット内の或るタイプのシステム情報メッセージの全数は、PSI＿Count parameter（これは、前記セットの各PSIメッセージに含まれる）により表される。システム情報メッセージのコンシステントセット内のメッセージインスタンスの位置は、PSI_Index parameterにより表される。
【００３１】
PSI_Count parameterは、N−１の値を持つ。但し、Nは、コンシステント・セットの特定のメッセージタイプのインスタンスの数である。PSI_Index parameterは、０からN−1の範囲である。コンシステント・セットの特定のメッセージタイプの異なるインスタンスは、異なるPSI_Index parameter値を持つ。
【００３２】
図３は、複数のインスタンスを有するPSIメッセージの例を示すものである。：PSI2は、四つのインスタンス、PSI2_CHANGE_MARK=2。同一PSI  Change＿Mark value、並びに増大するPSI_Index valueについて注意すべきである。
【００３３】
change mark handlingに関しては、PSI１は、PSIメッセージ（PBCCH_CHANGE_MARK）の全セットに対するchange markを含んでいる。このchange mark は、MS100のメモリ130に記憶され、続いて比較のために使用される。PSI１は、MS100がどのような動作を行っていても、30秒毎にリフレッシュされる。PSI1は、複数のPSIメッセージがMS100によりリフレッシュされる（即ち再受信される）ことを表示してもよい。リフレッシュ表示（パラメータPBCCH_CHANGE_MARK及びPSI_Change_Field）は、次の二つのやり方で行われる。第１のやり方は、PBCCH_CHANGE_MARK値を２又は２より大きい値だけ増加する。この場合、MS(移動局)100は、全PSIメッセージを再度受信する必要がある。第２のやり方は、PBCCH_CHANGE_MARK値を１だけ増加させるもので、MS100は、関連パラメータPSI_CHANGE_FIELDの値をチェックしなければならない。このパラメータは、（ａ）MS100は、PSIメッセージの特定のタイプのアップデートを開始する；（ｂ）MS100は、PSIメッセージの未指定のタイプのアップデートを開始する；（ｃ）MS100は、未知のPSIメッセージ（将来の拡張のためのもの。この場合はMS100はPSIメッセージをリフレッシュする必要はない）のアップデートを開始する。
【００３４】
どのような場合においても、未知のアップデートの場合を除けば、MS100は、PSI_CHANGE_FIELDが指定する各PSIメッセージタイプの、少なくとも一つのインスタンスのchange markを受信し、チェックすることになる。change markがメモリ130に記憶された値とは異なる値を有する場合には、MS100は、記憶されたPSIメッセージセットを消去し、特定PSIメッセージセットの再取得を開始する。
【００３５】
PSIメッセージ取得に関しては、PSI取得が要求されて、MS100がパケット転送モードにある場合には、MS100は、PBCCH上でPSI受信を可能にするために、TBF(s)を一時停止する。PBCCHは、別の物理チャネル（即ち、異なるダウンリンク周波数）に位置し、このことは、MS100が、現在のパケットデータ物理チャネルからPBCCHを切り替えしなければならないことを、意味する。
【００３６】
DSP180は即座に物理チャネル間の切り替えを行うことはできないから、データ転送は中断しなければならない。チャネルを設定する時間も必要になる。更に、GPRSシステムにおいては、全データブロックは、四つの連続無線バーストで送信されている。このことは、たった一つのバーストを見落としたとしても、MS100は、全データブロックを消失することを意味する。TBFを中断する（suspending the TBF）場合、よくこのことが起こる。従って、各PBCCHブロックに対して、MSは、三つのパケットデータブロック（現在受信したPBCCHブロックに対応する１つと、それを取り囲む二つのブロックである）を消失する。これは、データトラフィックをかなり妨害する。というのは複数インスタンスを持つPSIメッセージが多数ありうるからである。
【００３７】
又、マルチフレーム（ネットワーク２のコンフィギュレーションパラメータ）当たりのPBCCHブロックの量は、最大４であってよい。従って、TBF中断は、中断の期間に対し、パケットデータトラフィックにおける完全停止に導くことがある。
【００３８】
更に、PSIメッセージ受信が最適化されていない場合は（即ち、PSIメッセージ得が正確に受信されていない場合は）、中断ケースは、さらに厄介なものであるかもしれない。
【００３９】
ここで定義したGPRSシステムは、PACKET PSI STATUSメッセージを定義する。ネットワーク２がサポートする場合には、このことは、ネットワーク2がPSIメッセージを、Packet Associated Control Channel(PACCH)上のS100に送信できることを意味するものである。上に定義したように、PACCHは、論理チャネルであって、パケットデータが送信されるのと同一の物理チャネル１上でMS100との間でコントロールブロックを送信するのに使用される。このケースでは、パケットデータ転送は、中断されるのは、PACCH上で送信される、これらPSIメッセージブロックに対してである。TBFは、PBCCHからのPSIメッセージを受信する為に中断する必要はない。
【００４０】
この点に関し、アップリンク方向（PACCH/U）においては、点対点（point-to-point）接続がある。ダウンリンク方向（PACCH/D）におけるPACCHは、点対点又は点対多点（point-to-multipoint）で、PDCH上に構成されるMSｓ100に依存する。通常は、ダウンリンク方向において、PDCHは、複数のMSｓ100によって共有されている。PSIメッセージは同報データであるから、PSIメッセージは、複数のMSｓ100に対して有効である。通常ダウンリンクPDCHを共有するMSｓ100が多数あるので、本発明の考え方は、これら移動体（それらに対しアクティブなダウンリンクTBFが或る場合には）にも適用できる。なぜならば、共有ダウンリンクPDCHは、不要なPSIメッセージを搬送する必要はないからである。
【００４１】
PACKET PSI STATUSのサポートは、MS100にとっても、ネットワーク200にとっても、オプショナルである。しかし、ネットワークにおいて、少なくともPACKET PSI STATUSメッセージサポートが、セル再選択遅延を減少させるという事実のために、又、特にGPRS R99においては、多数のインスタンスを持つ新規PSIメッセージタイプが特定されたという事実を考慮して、このオプションという特徴に対する究極の広範囲のサポートが予定される。これによれば、セルの再選択時間を、更に増加することが予想される。更に、GPRS仕様の将来バージョンでは、PBCCH上で同報される追加情報、並びに頻繁に変化すると予想される情報（例えば、位置サービス、アシスタンスデータ、アドバタイズメント）を設けることが予想される。これら各種の要因は、GPRS仕様を、フレキシブルで正確で頻繁に起こるPSIメッセージをリフレッシュするという機能を要求する方向に進めるものと予想される。
【００４２】
PACKET PSI STATUSメッセージ（パラグラフ5.5.1.4.3）に対して、現在以下のように特定されている（GSM TS 04.60,リリース  1997（version 6.10.0）及びリリース1999(version8.6.0)）。
５.5.1.2  PBCCH上のシステム情報
PBCCHがサービスセルに存在する場合は、移動局は、PBCCH上で同報されたパケットシステム情報(PSI)メッセージを受信する。PBCCH上で同報されたPSIメッセージのスケジュールを決定するパラメータは、PSI１メッセージ中に設けられる。
PBCCHを有する新セルが選択される場合は、移動局はPBCCHメッセージの完全な取得を行う（5.5.1.4参照）。移動局は、選択セルにおいてパケットアクセスを実行するものではないし、以下の時期迄、パケット転送モードに入るものではない。即ち、
―PACKET SYSTEM INFORMATION TYPE 1 (PSI1)メッセージを取得し、
―PSI２メッセージのコンシステントセットを取得し、
―PBCCH上でPSIメッセージの完全なセットを受信しようと少なくとも一回試行する迄。
オプションとして、ネットワークがPACKET PSI STATUSメッセージをサポートする場合は、移動局がパケットアクセスを実行し、PSI１メッセージとPSI２メッセージのコンシステントセットが受信されると直ぐにパケット転送モードに入ってもよい。この場合は、移動局は、システム情報取得要求を実行する。（5.5.1.4.3参照）
【００４３】
多数のPSIメッセージ（GPRSの将来のリリースにおけるケースである）があるという事実により、セル再選択遅延（その遅延時間の間、ユーザのパケットデータは送受信することはできない）は、PACKET PSI STATUSメッセージを使って、大幅に削減することができる。
【００４４】
しかし、発明者は、このように特定したPACKET PSI STATUSメッセージの使用において、或る種の問題が存在することに気づいた。例えば、仕様書は、PACKET PSI STATUSメッセージに対し、次のように述べている。（04.60、パラグラフ5.5.1.4.3）
オプションとして、移動局は、システム情報の取得を要求してもよい。ネットワークが、PACKET PSI STATUSメッセージをサポートする場合は、PBCCH情報の取得を開始する毎に、移動局はPACKET PSI STATUSメッセージをネットワークに送信してもよい。
PACKET PSI STATUSメッセージは、移動局に記憶されたPSIメッセージの現在状態を表示する。PACKET PSI STATUSメッセージは、移動局がパケット転送モードにあるときには、PACCH上で送信される。このメッセージの第１回目の送信は、PBCCH情報取得の期間に、取得が開始された後の適切な機会に行われる。
【００４５】
PACKET PSI STATUSメッセージのコンテントは、04.60、パラグラフ11.2.17に規定されており、これを図４に示す。パラメータフィールドの記述（04.60、パラグラフ11.2.17）において、以下のように記載されている。
受信されたPSI メッセージリスト（構成）
この構成は、誤り無く受信されたPSIメッセージのリストを含む。プロトコールのこのバージョンでは、以下のメッセージタイプが、コンピュータリストに示されている。：PSI2（最高のプライオリティ）、PSI3、,PSI3bis、PSI4、PSI5、PSI3ter、PSI6、PSI7、PSI８(最低のプライオリティ)。このメッセージの送信者は、メッセージに適合する、このリスト中のメッセージを多数表示してよい。メッセージは、プライオリティの降順でメッセージタイプに従って、リストされる。このリストに表示することができない程多くのPSIメッセージがある場合には、リストの末尾に、追加メッセージタイプの存在を表示する。
このメッセージの送信者がPSIメッセージ（これはPSIメッセージのコンシステントセット部分である（5.5.2.1.4参照））を受信した場合は、Instance Bitmapは、受信されたこのメッセージのタイプのインスタンスを表示してもよい。
【００４６】
続けて図４を参照すると、パラメータフィールド記述（04.60、パラグラフ11.2.17）において、以下のように記載されている。
「受信された未知のPSIメッセージリスト（構成）
この構成は、PBCCH上で受信されたメッセージタイプのリストを含む。それは、PSIメッセージタイプとして認知されたものではない。プロトコールの、このバージョンにおいて、PSI1、PSI２、PSI3、,PSI3bis、PSI3ter、PSI4、PSI5、PSI6、PSI7、PSI８を除く、どのようなメッセージタイプが、このリストに表示されてもよい。このメッセージの送信者は、受信されたPSIメッセージリストの後のメッセージに適合するものであれば、このリスト中のメッセージを多数表示してもよい。メッセージは、受信の逆順でメッセージタイプに従ってリストされる。最初は、最も最近受信したメッセージタイプである。このリストに表示することができない程多くのPSIメッセージがある場合には、リストの末尾に、追加メッセージタイプの存在を表示する。
【００４７】
これらMSｓ100は（これらは初期のリリースをサポートするものであるが）、これは、どのPSIメッセージが認知され、どれが認知されていないかをネットワーク2に知らせる(indicate)ことができる以前に、行わなければならない。全PSIメッセージタイプを、最初に受信しなければならない。セル再選択後、最初の取得手順において、このことは、問題をもたらす。
【００４８】
例えば、R99は、新規なPSIメッセージタイプを導入するものである。しかし、04.60プロトコールによると、MS100は、これらのメッセージを了解し、受信するが、しかし、PSIメッセージのコンシステントセットが受信されたか否かを決定する際、前記メッセージを関連あるものとは考えない。プロトコール規定を厳密に解釈すれば、P99MSｓ100は、オプショナルPSIメッセージが未知であると表示する(indicate)ことは許されない。従って、MS100は、MS100が要求するのは、どのPSIメッセージタイプかを、ネットワーク2に対し知らせる(indicate)ことはできない。
【００４９】
ここに規定したPACKET PSI STATUSメッセージの使用時に、本来的に存在する問題について要約すると、以下の通りである。MS100は、誤り無く受信されたPACKET PSI STATUSメッセージにおけるPSIメッセージ全部を表示するよう要求されている。しかし、PSI１（PBCCH_CHANGE_MARKは、１だけ増加され、PSI_CHANGE_FIELDの値により表示される）を受信して開始されるスタート時においては、ネットワーク2には、MS100がどのPSIメッセージを受信しなければならないのかを、知らせるためのメカニズムがない。どのPSIメッセージをMS100が受信し、メモリ130に記憶するかについての通常の表示では、十分でない。というのは、ネットワーク2は、何時MS100が、PACCH上で送信したPSIメッセージをデコードしたか（又は、かどうか？）を知らないからである。この点で、受信されたPSIメッセージ構成には、change mark fieldが存在するが、前記change mark fieldは、どのPSIメッセージが、以前にMS100に記憶されたか（即ち、旧PSIメッセージ）をチェックするためにだけに、（ネットワーク2により）使用されることに留意すべきである。MS100は、各PSIメッセージタイプの少なくとも一つのインスタンスを受信しなければならないことを記憶すべきである。
【００５０】
R99及び後のネットワークにおいては、MSｓ100にコンパチブルなR97、R98、R99が要求しないオプショナルなPSIメッセージが存在する。従って、ネットワーク2は、パケットデータチャネルにおける全PSIメッセージを、送信するように要求される。これは、スペクトラムの無駄であるし、更に、データスループットを妨害するものである。新規のオプショナルなPSIメッセージ（これは、新規な機能及び／又はR99とGPRS規定の後のバージョンの特徴に対応する）が、追加され、将来追加されるであろうこと、従って、更に問題を生じるであろうことに留意すべきである。以前のリリースGPRS MSｓにおいては、このことは、負担であった。特に、パケット転送モードにおいては負担であった。
【００５１】
本発明の考え方に基づいて、異なるPSIリフレッシュ期間に、MS100が、どのPSIメッセージをサポートし、要求するのかを、MS100がネットワーク2に暗に知らせ、それによりパケットデータチャネル使用を最小にまで低減することができる。本発明の考え方による方法は、GPRSをサポートする全MSｓ100とPACKET PSI STATUSメッセージ（第１のGPRSに適合するMSｓ（即ちETSIリリース1997に適合する）とに適用することができる。
【００５２】
この方法を完成させる為に、MS100は、PACKET PSI STATUSメッセージにおいて、それがサポートしているが受信されていない各PSIメッセージに関して、以下の規則に従って、以下を表示する。
【００５３】
受信されたPSIメッセージリスト（図４参照）において、
MESSAGE_TYPE:（未受信）PSIメッセージタイプの2進数表示
PSIX_CHANGE_MARK:任意の値をセットする（どの場合も有効でない(not valid)）
MS100は、オプショナルフィールドPSIX_COUNTとInsatance Bitmapを含み、それらを０にセットする。
【００５４】
PSIX_COUNTとInsatance Bitmapは、PSIメッセージが一つのインスタンスを有することを表し、前記インスタンスを「非受信」としてセットする。このように、PACKET PSI STATUSメッセージの最小数のビットが用いられる。
【００５５】
ここに定義したように、MS100によりサポートされるPSIメッセージは、MS100がサポートする仕様（specification）に従って、又、MS100がシステム情報メッセージのコンシステントセットを受信したかどうかの決定をする時に関係する仕様に従って、MS100が考えねばならないメッセージである。
【００５６】
PACKET PSI STATUSに関して、非／特定のケース（un/specified case）において、部分的な取得、即ちPSI1が開始した取得（PSI_CHANGE_FIELDの検査の後、１だけ増加させたPBCCH_CHANGE_MARK）において、MS100は、前記第１の規則に加え、第２の規則に従う。又、MS100は、完全に受信した各PSIメッセージ（即ち、受信された特定のPSIメッセージタイプのコンシステントセットである）に対して、PSIメッセージ構成におけるPSIX_COUNTとInstance Bitmapを含み、PSIメッセージタイプの第１のインスタンスを「非受信」としてセットする。更に、PSIメッセージタイプが、単に１つのインスタンスだけを含む場合は、前記の第１の規則に直接対応する。
【００５７】
更に具体的には、MS100は、PACKET PSI STATUSメッセージを送信し、メモリ130に記憶されたPSIメッセージの現ステータスを表示する。これらPSIメッセージタイプ（MS100が、自分がサポートする特徴（例えば、非GSMとマルチ―無線アクセス技術（マルチ-RAT）能力）に基づいて関係あると考え、MS100が、実装される際のGPRS規則のバージョンに基づいて認知する）に対して、及び、オプショナルPSIメッセージタイプ（前記セルのメッセージ同報は、PSI2メッセージにおいて、ネットワーク2により表示されていた）に対して、MS100は、PSIメッセージタイプが受信されたことを表示するよう動作する。このことは、PSIメッセージタイプがMS100により受信されなかった場合も、有効である(valid)。これは、オプショナルフィールド  PSIｘ_COUNT及びInstance＿Bitmapを含めることにより、又、PACKET  PSI  STATUSメッセージにおける特定のPSIメッセージタイプに対し、それらのフィールドをそれぞれ０に設定することにより、MS100により表示される(indicated)。応答時において、ネットワーク２は、MS100が特定PSIメッセージタイプを受信していないこと決定し、表示された(indicated)PACKET  PSI  STATUSにおけるPSI＿CHANGE＿MARKを無視する。
【００５８】
マルチーRATケースにおいて、GPRS R99仕様は、再選択(reselection)の目的で、３G隣接セルについて記述する為に、新規のPSI3−シリーズPSIメッセージ（現在PSI3terと呼ぶ）を規定している点に、留意すべきである。この点に関し、既存のPSIメッセージング（例えば、PSI5）は、拡張され、３G隣接セル情報と、３Gセルの測定を行う為（他方２Gセルでサービスを受けるのであるが）のインストラクションを含む。
【００５９】
PSIメッセージ（04.60パラグラフ5.5.1.4）を部分的に取得する間、MS100は、各PSIメッセージタイプに対し、個別PSIｘ_CHANGE_MARK値をチェックする為に、デコードすることを要求し、該PSIメッセージタイプの、少なくとも１つのインスタンスが受信されていないことを表示する。PSIメッセージタイプが唯一つのインスタンスを含む場合には、MS100は、PSIメッセージが受信されておらず、仕様に従って、PACKET PSI STATUSメッセージに書き込む(fill)ことを表示する。
【００６０】
従来のプラクティスに従って、MS100がパケット転送モードにあるときは、PACKET PSI STATUSメッセージはPACCH上に送られる。PBCCH情報の取得時に、このメッセージの最初の送信が、前記取得が開始された後、最初の適切な機会に行われる。
【００６１】
PBCCH情報の取得時に、PACKET PSI STATUSメッセージは、ネットワーク2に４回まで送信してよい。PACKET PSI STATUSメッセージの第２回送信は、前記メッセージが最初に送られた後、少なくとも１秒後、最初の適正な機会に、行われる。このメッセージの、更なる転送は、前記メッセージが前回送られた後、少なくとも２秒後の、最初の適正な機会に行われる。
【００６２】
MS100が、PBCCH上で要求されたPSIメッセージを受信する為に、そのTBF(S)を中断した場合は、PACKET PSI STATUSメッセージは、送信されない。更に、MS100が、PBCCH上でPSIメッセージの完全なセットを取得した場合にも、PACKET PSI STATUSメッセージは、送信されない。
【００６３】
本発明の方法を使用する利点は、以下のとおりである。第１に、本方法は、MS100とネットワーク2との間の、現行に規定されている無線インターフェースを変更することなく、使用することができる点である。第２に、本方法を使えば、不必要なTNF中断を、パケット転送モードにおけるPSIアップデート（即ちPSI1により表示されるもの）に対し、同一物理チャネルPACKET PSI STATUSメッセージ手順を使用して、最小に低減できる点である。今まで説明してきたように、TBF中断は、パケットデータスループットに悪影響を与え、PSIメッセージ受信期間中に、データ転送の完全な停止を招くかもしれない。パケット転送モードで、PSIメッセージをMS100に送信することは、TBF中断（時間と他の遅延を設定するチャネルコンフィギュレーションに起因して、追加無線ブロックが消失する）の場合と比較すると、前記無線ブロック（そのブロック内でPSIメッセージが送られる）を「ひそかに運び去る(steal)」ことである。
【００６４】
本方法を使う第３のメリットは、MSｓ100がサポートするプロトコールリリースに拘わらず、MSｓ100は、自分がどのPSIを要求しているかをネットワーク2に知らせる(indicate)ことができることである。ネットワーク2が新規PSIメッセージを導入する場合は、該ネットワーク２は、特定のMS100にどのPSIメッセージを送信するか知ることになる。各MS100は、どのPSIメッセージを受信する予想かを明白に表示（indicate）できるからである。これは、無線チャネルバンド幅とリソースに利用を増加させ、データスループットの増大をもたらす。
【００６５】
これまで、本発明について具体的に示し、好ましい実施例に関し説明してきたが、形式(form)や詳細部分の変更が、本発明の範囲と技術的思想から離れることなく、この技術分野の当業者が行えることは当然である。
【００６６】
【図面の簡単な説明】
【図１】本発明を実施するのに適した無線通信システムのブロックダイアグラムである。
【図２】システム情報メッセージのコンシステントセットである。
【図３】複数インスタンスを有するＰＳＩの一例である。この例ではＰＳＩ２＝４インスタンス、ＰＳＩ２_ＣＨＡＮＧＥ_ＭＡＲＫ＝２である。
【図４】ＰＡＣＫＥＴ  ＰＳＩ  ＳＴＡＴＵＳメッセージ情報のエレメントである。
【図１】
2004523158.tif 000003
【図２】
2004523158.tif 000004
【国際公開パンフレット】
2004523158.tif 000005
2004523158.tif 000006
2004523158.tif 000007
2004523158.tif 000008
2004523158.tif 000009
2004523158.tif 000010
2004523158.tif 000011
2004523158.tif 000012
2004523158.tif 000013
2004523158.tif 000014
2004523158.tif 000015
2004523158.tif 000016
2004523158.tif 000017
2004523158.tif 000018
2004523158.tif 000019
2004523158.tif 000020
2004523158.tif 000021
2004523158.tif 000022
2004523158.tif 000023
2004523158.tif 000024
2004523158.tif 000025
2004523158.tif 000026
2004523158.tif 000027
2004523158.tif 000028
2004523158.tif 000029
2004523158.tif 000030
2004523158.tif 000031
2004523158.tif 000032
2004523158.tif 000033
【国際公開パンフレット（コレクトバージョン）】
2004523158.tif 000034
2004523158.tif 000035
【国際調査報告】
2004523158.tif 000036
2004523158.tif 000037
2004523158.tif 000038